(57)【要約】【課題】  不安定な場所にも配置でき、所望の高さと角度を得ることができるカメラ機能付き携帯電話機用三脚を提供する。さらに、種々の携帯電話機の幅に対応することのできるカメラ機能付き携帯電話機用三脚を提供する。【解決手段】  カメラ機能付き携帯電話機を支持するための挟持機構１０と、前記携帯電話機の挟持機構が回動自在となるように構成された雲台４０と、雲台を支持する三脚部３０と、からなる。そして挟持機構１０は、雲台４０に連結する基台１２と、基台１２の両側方向に間隔が可変となるよう設けられる１対の挟持部材１１と、前記１対の挟持部材１１の一方を他方側に向けて付勢するバネ１５と、から構成されることによって、基台１２の底面上をバネ１５を用いて挟持部材１１が摺動するようにし、前記携帯電話機の挟持幅を可変せしめるようにした。【選択図】図１
0003102865.tif 000002
【実用新案登録請求の範囲】
【請求項１】
カメラ機能付き携帯電話機を保持するための挟持機構と、前記携帯電話機の挟持機構が回動自在となるように構成された雲台と、雲台を支持する三脚部と、を有することを特徴とするカメラ機能付き携帯電話機用三脚。
【請求項２】
前記挟持機構部が、雲台に連結する基台と、基台の両側方向に間隔が可変となるよう設けられる１対の挟持部材と、前記１対の挟持部材の少なくとも一方を他方側に向けて付勢する弾性部材と、からなり、前記１対の挟持部材の少なくとも一方にはカメラ機能付き携帯電話との接触面が１若しくは２以上あることを特徴とした請求項１のカメラ機能付き携帯電話機用三脚。
【請求項３】
前記挟持機構部が、雲台と取り外し可能となるように構成されたことを特徴とする請求項１又は請求項２記載のカメラ機能付き携帯電話機用三脚。
【請求項４】
前記挟持機構部が、雲台と一体的に成型されていることを特徴とする請求項１又は請求項２に記載のカメラ機能付き携帯電話機用三脚。
【考案の詳細な説明】
【技術分野】
【０００１】
カメラ用三脚において、主にカメラ機能付き携帯電話機を固定して写真を撮る際に使用する三脚に関するものである。
【背景技術】
【０００２】
近年では携帯電話にカメラ機能が備わったものが多く出回っており、人気を博している。そして該カメラ機能は飛躍的に質が向上し、通常のデジタルカメラと変わらない画素数を持つものや、セルフタイマー機能付きのものまでが登場しているため、携帯電話がカメラの代わりとして使われるようになっている。該携帯電話で自分を含めた写真を自分で撮影する際には、手を前方に伸ばしてカメラを向けるのが一般的になされる撮影方法であるが、被写体が自分を含め複数人いる場合には、画面に入りきらず、誰かに撮影を頼むしかない。
【０００３】
従来のカメラ用三脚は、カメラに取り付けられている雌ネジ部と雲台に取り付けられている雄ネジ部を嵌合させてカメラを固定していた（例えば特許文献１)。しかしカメラ機能付き携帯電話機には雌ネジ部は設けられておらず、通常の三脚を用いることができない。
【０００４】
また、特許文献２では、携帯電話のインターフェースに挿入可能な形状に加工された突起部が設けられた取付基板部に、軸部及び軸受部によって、回動可能となるように脚部が設けられた携帯用スタンドなるものが発明されている。
【０００５】
しかしながら、特許文献２で開示される発明は三脚を用いることなく、携帯電話を所定の仰角で確実に載置するためのものであるので、載置する場所が低すぎたり、平坦でなかったりすると、使用することができなかった。
【０００６】
そのため不安定な場所では誰かに撮影を頼んだり、撮影場所を変更するといった煩わしさが生じるという不都合が生じ、又、集合写真を撮る際にも、誰かに撮影してもらう、或いは配置場所を自分で探す、等して撮影するしかなく、所望の写真を撮影できなかった。
【０００７】
【特許文献１】実公昭６１−４１５１８
【０００８】
【特許文献２】特開２００３−３３８８６２
【考案の開示】
【考案が解決しようとする課題】
【０００９】
そこで本考案は、通常のカメラ用三脚のように不安定な場所にも配置でき、所望の高さと角度を得ることができるカメラ機能付き携帯電話機用三脚を提供する。
【課題を解決するための手段】
【００１０】
カメラ機能付き携帯電話機を保持するための挟持機構と、前記携帯電話機の挟持機構が回動自在となるように構成された雲台と、雲台を支持する三脚部と、を有することを特徴とするカメラ機能付き携帯電話機用三脚を提供する。
【００１１】
又、前記挟持機構部が、雲台に連結する基台と、基台の両側方向に間隔が可変となるよう設けられる１対の挟持部材と、前記１対の挟持部材の少なくとも一方を他方側に向けて付勢する弾性部材と、からなり、前記１対の挟持部材の少なくとも一方にはカメラ機能付き携帯電話との接触面が１若しくは２以上あることを特徴としたカメラ機能付き携帯電話機用三脚を提供する。
【００１２】
さらに、前記挟持機構部が、雲台と取り外し可能となるように構成されたことを特徴とするカメラ機能付き携帯電話機用三脚を提供する。
【００１３】
加えて、前記挟持機構部が、雲台と一体的に成型されていることを特徴とするカメラ機能付き携帯電話機用三脚を提供する。
【考案の効果】
【００１４】
従来のカメラ用三脚に、携帯電話を挟持する機構を装着することによって、不安定な場所にも配置することができ、所望の高さと角度を得ることができる。さらに  本発明は該携帯電話の挟持部分の幅が可変となるように構成することで、多様な大きさの携帯電話に合わせることができるようにしたことを特徴としている。
【考案を実施するための最良の形態】
【００１５】
以下、本考案に係るカメラ機能付き携帯電話機用三脚の実施の形態を図面に基づき説明する。図１は本考案に係るカメラ機能付き携帯電話機用三脚を示している。図２はカメラ機能付き携帯電話機用三脚に該携帯電話機を設置した図である。図３は該カメラ機能付き携帯電話機用三脚の挟持機構部分の図である。図４は該挟持機構の挟持幅を広げた図である。図５は図３のＡ−Ａ拡大断面図を表している。
【００１６】
本考案に係るカメラ機能付き携帯電話機用三脚は図１に示すように、カメラ機能付き携帯電話機を保持するための挟持機構１０と、その挟持機構１０が回動自在となるように構成された雲台４０と、この雲台４０を支持する三脚部３０と、からなる。
【００１７】
そして、前記挟持機構１０は、基台１２と、基台１２の両側方向に設けられている１対の挟持部材１１と、前記１対の挟持部材１１の一方を他方側に向けて付勢するためのバネ１５と、からなる。そして、挟持部材１１は底面部１１Ａと、携帯電話機を挟持する部分であって底面部１１Ａから直立に設けられている直立部１１Ｂと、からなる。底面部１１Ａの内側にはバネ１５を格納するためのバネ格納部２１を有し、その一端面は突起部１８と対向するように構成されており、バネ１５は突起部１８とバネ格納部２１の一端面によって支持されている。
【００１８】
基台１２にはその中心に三脚部３０と連結するためのネジ孔１４が設けられている。雲台４０には図示しない雄ネジが突設されており、該雄ネジはネジ孔１４に挿入されて、挟持機構１０と、雲台４０を連結する。三脚部３０は３つの支持脚３１と、雲台調節レバー３２と、３つの支持脚３１の各一端が接続する接続部３３と、から構成されており、該接続部３３の上方に回転部材４２が支持されて、その上に台部４１が装着されることにより、雲台４０を構成している。雲台４０と、三脚部３０は、従来からあるカメラ用三脚と同様の物であるので、詳細な説明を省略する。尚、挟持機構１０と、雲台４０と、三脚部３０はネジ以外の連結方法によって着脱可能にしてもよいし、着脱不可能に一体的に形成してしまってもよい。又、挟持部材１１を雲台４０から取り外し、デジタルカメラ等の下部に設けられているネジ孔に雲台４０の雄ネジ部を挿入することによって、通常のカメラ用三脚として、デジタルカメラやビデオカメラに取り付けて使用することもできるのは言うまでもない。
【００１９】
以下に挟持機構１０について図３乃至図５を用いて詳細に説明する。基台１２の底部両端には突起部１８が設けられている。該突起部１８は長手方向に突起を有しており、バネ１５に該突起を挿入してバネ１５を支持する。基台１２の底部と、挟持部材１１の底面部１１Ａに設けられているバネ格納部２１の内側と、には、バネ１５が伸縮した際に所定の方向に導くように、ガイド溝２４が設けてある。
【００２０】
そして、バネ格納部２１の内部にバネ１５が格納するよう、挟持部材１１が基台１２に装着されている。これにより、バネ１５の付勢によって挟持部材１１が基台上を摺動することとなる。つまり、挟持部材１１の直立部１１Ｂが長手方向に引っ張られると、底面部１１Ａが基台１２上を摺動し、図４に示すように、バネ格納部２１の突起部１８に対向する一端面が、バネ１５を突起部１８方向に押し縮めることとなる。このバネ１５の復元力によって挟持部材１１は携帯電話機を保持することとなる。尚、バネ１５は弾性部材であれば何でもよく、ゴム等の手段によっても可能である。尚、挟持部材１１は基台１２の両側方向に一つずつ、対になるよう設けられており、該一対の挟持部材１１のいずれもがバネ１５の付勢によって摺動するのが望ましいが、いずれか一方のみを摺動させるようにしてもよい。
【００２１】
基台１２の内側側面には、挟持部材１１が長手方向に摺動する時に、該挟持部材１１がバネの力によって基台１２から外れることがないよう、該挟持部材１１を係止するためのＬ字型係止部２３を有している。このＬ字型係止部２３は、基台１２の側面の上部が内側に張り出す構成となっている。これにより、基台１２の底部を挟持部材１１が基台１２の長手方向に摺動した時に、挟持部材１１がＬ字型係止部２３によって上下方向に係止されることとなり、挟持部材１１がバネの力によって基台から外れることなく摺動できる。
【００２２】
尚、挟持部材１１の底面部１１Ａの上面の角部には、基台１２のＬ字型係止部２３と接触して摺動するように、切欠部２２が設けられている。
【００２３】
挟持部材１１の携帯電話機との接触面にはクッション材１６が設けられている。クッション材１６には好ましくはスポンジ等が使用されるが、携帯電話を傷つけずに支持でき、かつ携帯電話機を落下しないように保つことのできる滑りにくい素材であれば何でもよい。
【００２４】
上記本考案の実施例を図２を用いて説明する。図２は本考案に係るカメラ機能付き携帯電話機用三脚にカメラ機能付き携帯電話機を設置した時の図である。
【００２５】
まず挟持機構１０が有するネジ孔１４に、雲台４０が有する図示していない雄ネジ部を挿入して嵌合させ、挟持機構１０と三脚部３０を連結させる。次に支持脚３１を伸ばして、所定の高さにして安定させる。その後、挟持部材１１を長手方向に引き伸ばし、基台１２上を摺動させながら挟持幅を広げる。そしてカメラ機能付き携帯電話機を所定の方向に向けて挟持させる。この時、挟持部材１１と携帯電話機との接触面が携帯電話の側面にある操作ボタンを押すことがないように、操作ボタン部を避けて挟持させるのがよい。携帯電話の角度を変えたい場合は雲台４０を回動させて所望の角度に設定する。雲台４０は回動が自由自在であるので、携帯電話機のあらゆるカメラ位置やカメラ方向に対応できる。例えば携帯電話機を横にして挟持し、撮影したい場合は、雲台４０を回動させて挟持機構の長手方向が、鉛直向きになるように配置し、携帯電話機を挟持すればよい。
【００２６】
尚、雲台４０は、回動部材４２を回動させる際、雲台調節レバー３２を緩めることなく回動できる構造であるが、回動部材４２が固くて回動が不自由の場合には、回動に係る固さの調節を雲台調節レバー３２で行なうことができる。写真を撮影するにはカメラ機能付き携帯電話機の操作方法にしたがって所定の方法で撮影を行なうことになる。
【実施例１】
【００２７】
本考案の別の実施例として、挟持部材１１の直立部１１Ｂを２つの部材に分けて、或いは直立部１１Ｂに２箇所の突起を設けるなどして、挟持部材１１における携帯電話機との接触面を２箇所に設けたことを特徴とするカメラ機能付き携帯電話機用三脚が挙げられる。挟持部材１１における携帯電話機との接触面にはちょうど携帯電話機の側面の操作ボタン部が存在することが多いので、誤作動の元となることもある。そこで、携帯電話機との接触面を２箇所に設けることで、該操作ボタン部をまたぐように携帯電話機を挟持し、安定して携帯電話を挟持できるようにしてある。この実施例によれば、該操作ボタン部を避けて携帯電話機を挟持することができるため、誤って携帯電話機内の電話番号等のメモリを消去するといった誤作動の心配がなくなる。さらに、誤作動の心配がないため携帯電話機の重心部を挟持できるようになり、三脚部をより安定した状態で保つことができ、転倒の危険も減少する。  
【図面の簡単な説明】
【００２８】
【図１】カメラ機能付き携帯電話機用三脚
【図２】カメラ機能付き携帯電話機用三脚に該携帯電話機を設置した図
【図３】挟持機構部分
【図４】挟持機構の挟持幅を広げた図
【図５】Ａ−Ａ拡大断面図
【符号の説明】
【００２９】
１０  挟持機構
１１  挟持部材
１１Ａ  底面部
１１Ｂ  直立部
１２  基台
１４  ネジ孔
１５  バネ
１６  クッション
１８  突起部
２１  バネ格納部
２２  切欠部
２３  Ｌ字型係止部
２４  ガイド溝
３０  三脚部
３１  支持脚
３２  雲台調節レバー
３３  接続部
４０  雲台
４１  台部
４２  回動部材
【図１】
0003102865.tif 000003
【図２】
0003102865.tif 000004
【図３】
0003102865.tif 000005
【図４】
0003102865.tif 000006
【図５】
0003102865.tif 000007